(57)【要約】【課題】  ホルダーを綴じリングに綴じ込んだときに、捲り操作を円滑に行うことができるようにすること。【解決手段】  有底袋状をなすホルダーであって、その一方の側端部に綴じ穴１６が形成されている。これら綴じ穴１６の内側の中央部には、上下方向に沿って延びる溶着部３３が形成されており、書類収納厚みが増えたときであっても、表裏シート１１，１２における表裏の綴じ穴形成領域１７Ａ、１７Ｂの重ね合わせた状態が維持されて薄い状態を保ち、綴じリングＲにホルダー１０を綴じ込んで捲り操作する際に、綴じリングＲに綴じ穴１６が引っ掛かってしまうことがないようになっている。【選択図】          図１
2006095756.tif 000002
【特許請求の範囲】
【請求項１】
表裏一対のシートの上端側を開放部とするとともに、これらシートの一方の側端縁に沿って綴じ穴が形成された綴じ穴形成領域を備えた袋状のホルダーであって、
前記綴じ穴よりも自由端形成側における少なくとも一部の領域に、表裏のシートに形成された各綴じ穴の離間を規制する綴じ穴離間規制部が形成され、当該綴じ穴離間規制部よりも自由端形成側に襠形成部が設けられていることを特徴とするホルダー。
【請求項２】
表裏一対のシートの上端側を開放部とするとともに、これらシートの一方の側端縁に沿って綴じ穴が形成された綴じ穴形成領域を備えた袋状のホルダー本体と、前記開放部を開閉可能とする蓋片とを備えたホルダーにおいて、
前記綴じ穴よりも自由端形成側における少なくとも一部の領域に、表裏のシートに形成された各綴じ穴の離間を規制する綴じ穴離間規制部が形成され、当該綴じ穴離間規制部よりも自由端形成側に襠形成部が形成され、
前記ホルダー本体は一枚の樹脂シートを折り曲げて当該折り曲げ部に襠を設けるとともに、前記一方の側端縁と底縁とをそれぞれ溶着することで袋状に形成されていることを特徴とするホルダー。
【請求項３】
前記襠形成部は、表裏のシートの上下方向に延びる複数の折り曲げ線により構成されていることを特徴とする請求項１又は２記載のホルダー。
【請求項４】
前記綴じ穴離間規制部は、前記開放部側の一定領域には形成されていないことを特徴とする請求項１，２又は３記載のホルダー。
【発明の詳細な説明】
【技術分野】
【０００１】
本発明は、ホルダーに係り、更に詳しくは、ファイル、バインダー等の綴じ具に綴じ込んだときに、綴じリングの形状に拘わらずに捲り操作を円滑に行うことができるホルダーに関する。
【背景技術】
【０００２】
従来より、上端を開放部とした袋状のホルダー（クリアホルダー）が知られている。このホルダーは、扁平な袋を形成することができるように型抜きれた透明な樹脂シートを二枚厚に折り曲げ、その合わせ端部を溶着することによって形成される。このようなホルダーは、例えば、特許文献１に記載されているように、一方の側端縁に沿う位置に、綴じ穴を上下方向に沿って所定間隔を隔てて形成し、ファイルやバインダー等の綴じ具に綴じ込みできるようにしたタイプのものが存在する。
【０００３】
【特許文献１】実開昭５６−１０４９７８号公報
【発明の開示】
【発明が解決しようとする課題】
【０００４】
しかしながら、特許文献１に開示されたホルダーにあっては、少数枚の書類収納を可能とするものであって、多数枚の書類の収納には適していない。この場合、ホルダーの左右両側と底部に襠を形成することで収納許容枚数の増量に対応することができるが、これによると、図７に示されるように、表裏のシート５０Ａ、５０Ｂ間における隙間Ｓが開いて表裏各シートの綴じ穴５１Ａ、５１Ｂが互いに離れてしまうものとなり、ＤリングＲを用いて多数のホルダー５０を綴じ込んだときに、特に、綴じリングＲのコーナー部Ｃに綴じ穴５１Ａ、５１Ｂが引っ掛かる状態をもたらして捲り操作を円滑に行うことができなくなる、という不都合を招来する。また、このように、綴じ穴５１Ａ、５１Ｂを形成する領域が開いて厚み方向の離間幅が大きくなってしまうと、綴じリングＲに綴じ込みできるホルダー５１の数も制限的なものなる。
【０００５】
［発明の目的］
本発明は、このような不都合に着目して案出されたものであり、その目的は、リング状の綴じ具に綴じ込むことのできる襠付きのホルダーとしたときに、当該ホルダーの捲り操作を円滑に行うことができるとともに、綴じ込み領域の綴じ穴離間を規制することによって多数のホルダーを綴じ込むことができるホルダーを提供することにある。
【課題を解決するための手段】
【０００６】
前記目的を達成するため、本発明は、表裏一対のシートの上端側を開放部とするとともに、これらシートの一方の側端縁に沿って綴じ穴が形成された綴じ穴形成領域を備えた袋状のホルダーであって、
前記綴じ穴よりも自由端形成側における少なくとも一部の領域に、表裏のシートに形成された各綴じ穴の離間を規制する綴じ穴離間規制部が形成され、当該綴じ穴離間規制部よりも自由端形成側に襠形成部が設けられる、という構成を採っている。
【０００７】
また、本発明は、表裏一対のシートの上端側を開放部とするとともに、これらシートの一方の側端縁に沿って綴じ穴が形成された綴じ穴形成領域を備えた袋状のホルダー本体と、前記開放部を開閉可能とする蓋片とを備えたホルダーにおいて、
前記綴じ穴よりも自由端形成側における少なくとも一部の領域に、表裏のシートに形成された各綴じ穴の離間を規制する綴じ穴離間規制部が形成され、当該綴じ穴離間規制部よりも自由端形成側に襠形成部が形成され、
前記ホルダー本体は一枚の樹脂シートを折り曲げて当該折り曲げ部に襠を設けるとともに、前記一方の側端縁と底縁とをそれぞれ溶着することで袋状に形成される、という構成を採ることができる。
【０００８】
前記ホルダーにおいて、前記襠形成部は、表裏のシートの上下方向に延びる複数の折り曲げ線によって構成することができる。
【０００９】
また、前記綴じ穴離間規制部は、前記開放部側の一定領域には形成されていない、という構成を採ることが好ましい。
【発明の効果】
【００１０】
本発明によれば、綴じ穴の内側に綴じ穴離間規制部が形成されているため、ホルダー内に多数枚の書類を収納しても、綴じ穴形成領域をシート同士が互いに重合した厚さに保持することができる。従って、書類が収納されて厚みを増したホルダーをリング状の綴じ具に綴じ込んだときでも、当該リングに沿った円滑な捲り操作を行うことができ、表裏シートにおける綴じ穴が互いに離れてしまったときのような引っ掛かりは生じない。
また、前記綴じ穴形成領域は、シート同士が互いに重合した厚さになることから、従来タイプに比べて、綴じ具への綴じ込み枚数も大幅に減るようなこともなく、綴じ込み効率も良好に維持することができる。
更に、ホルダーは、綴じ込まれたときの自由端側に溶着部が存在しない構成となることから、見出し片等を貼り付ける場合の被貼付面が平坦な面となり、見出し片の貼付不良を生ずることもない。
また、綴じ穴離間規制部が前記開放部側の一定領域に形成されないことで、書類をホルダー本体内に収納する際の開放幅を一時的に広く確保することが可能となり、書類収納作業を容易に行うことができる。なお、綴じ穴離間規制部が形成されていない領域が存在しても、書類を収納した状態では、当該書類の側端縁が綴じ穴離間規制部に突き当たる状態となるため、綴じ穴離間規制部が存在しない領域があっても表裏シートにおける綴じ穴が大きく離間してしまうことはなく、従って、綴じリングに綴じた状態での捲り操作に支障は生じない。
更に、書類が収納されて厚みが増したホルダーをリング状の綴じ具に綴じ込んで捲り操作を行った際に、襠形成部の折り曲げ線が溶着部等からなる離間規制部を離間させようとする作用力を吸収することで、離間規制部への負担が軽減でき、ホルダーの耐久力を向上させることができる。このような耐久性向上の効果は、襠形成部の折り曲げ線を増加させることで更に高めることができる。
【発明を実施するための最良の形態】
【００１１】
以下、本発明の好ましい実施形態を図面を参照しながら説明する。
【００１２】
図１には、本実施形態に係るホルダーの概略正面図が示され、図２には、その展開図が示されている。これらの図において、ホルダー１０はポリプロピレン等の透明な樹脂材料によって扁平な有底袋状に形成されている。このホルダー１０は、表裏一対をなす表シート１１及び裏シート１２と、これらシート１１，１２の上端側に設けられた開放部１３とを備えたホルダー本体１４と、このホルダー本体１４に一体に設けられるとともに、前記開放部１３を開閉可能とする蓋片１５と、前記シート１１，１２の一方の側端縁に沿って綴じ穴１６が所定間隔毎に形成された綴じ穴形成領域１７とを備えて構成されている。
【００１３】
前記ホルダー１０は、図２に示されるように、予め成形された一枚のシートＳを折り曲げ、溶着することにより形成されている。すなわち、ホルダー１０の形成前のシートＳは、表シート１１と裏シート１２との間において上下両端に達する長さに亘って形成された三本の折り曲げ線２０と、表シート１１の図２中右端側に二本の折り曲げ線２１，２１を介して連設された表側の綴じ穴形成領域１７Ａと、表シート１１の下端側に三本の折り曲げ線２４，２４，２４を介して連設された底部溶着代２５と、裏シート１２の図２中左端側に二本の折り曲げ線２６，２６を介して連設された裏側の綴じ穴形成領域１７Ｂと、蓋１５の面内及び当該蓋１５と裏シート１５との境界部に設けられた三本の折り曲げ線２９とを備えて構成されている。
【００１４】
前記ホルダー１０は、前記表裏の綴じ穴形成領域１７Ａ、１７Ｂを重ね合わせてそれらの側端縁に溶着部３０が形成される一方、底部溶着代２５を裏シート１１の裏面側に重ね合わせて溶着部３１が形成され、これにより、有底袋状の扁平なホルダー１０が形成される。
【００１５】
前記綴じ穴１６は、表裏の綴じ穴形成領域１７Ａ、１７Ｂを重ね合わせた状態で、その面内をプレス型で打ち抜くことによって形成されている。これらの綴じ穴１６は、綴じ穴形成領域１７の上下方向略全域に形成されており、所定間隔をおいて形成された四つの大径穴１６Ａ〜１６Ｄ及び小径穴１６Ｅとからなる。これらの綴じ穴１６Ａ〜１６Ｅは、綴じ具の綴じリングＲ（図５参照）若しくは綴じ足の本数に対応して利用される。
【００１６】
前記綴じ穴１６において、中央部近傍の二つの大径穴１６Ｂ、１６Ｃよりも自由端形成側（図１中右側）には上下方向に沿って延びる溶着部３３が形成され、当該溶着部３３により、大径穴１６Ｂ、１６Ｃ及びそれらの中間の小径穴１６Ｅの離間規制部が構成されている。
【００１７】
前記ホルダー１０において、綴じ穴１６の形成位置とは反対側の側端部は、前記三本の折り曲げ線２０の中央折り曲げ線を谷折りすることで側端部襠３７とされ、底部側の三本の折り曲げ線２４も中央の折り曲げ線を谷折りすることで底部襠３８とされている。また、綴じ穴１６よりも自由端形成側に隣接している折り曲げ線２１，２６は、ホルダー１０内に収納される書類の厚みに応じて角度変位可能な襠形成部３９として構成されている。なお、前記折り曲げ線２０，２１，２４及び２６，２９は、プレス型を用いてシート厚みを部分的に薄くする筋を設けることによって形成することができる（図３参照）。
【００１８】
以上の構成において、ホルダー１０を用いて書類を収納して厚みが増大すると、側端部襠３７及び底部襠３８は初期の谷折り状態を開いて収納厚みに対応するとともに、襠形成部３９の折り曲げ線２１，２６も屈曲し、図３中二点鎖線で示されるように、収納厚みに対応することとなる。この際、溶着部３３の存在により、これの外側に位置する大径穴１６Ｂ、１６Ｃ及び中間の小径穴１６Ｅは、離間することなく重ね合わされた状態を保つこととなる。そのため、大径穴１６Ｂ、１６Ｃに対応する綴じリングＲ（図５参照）を備えた綴じ具でホルダー１０を綴じ込んだときに、当該綴じ込み領域の厚みは、成形時厚みと一致する薄い状態を保ち得る。
【００１９】
従って、図５に示されるＤ型の綴じリングＲを用いてホルダー１０を綴じ込んだ場合において、捲り操作する際に、コーナー部Ｃに引っ掛かってしまうことなく円滑な捲り操作を許容することとなる。また、図６に示される略円形のリングＲを用いて綴じ込んだ場合においても円滑な捲り操作が許容される。更に、綴じ穴形成領域１７の厚みが薄く保たれるため、綴じリングＲに綴じられたときに、できるだけ重なるような状態となり、綴じリングＲに綴じ込みできる量が大幅に減ることもなく、綴じ込み効率を低下させることもない。
【００２０】
また、綴じ穴形成領域１７側に溶着部３０を設けた構成としたから、すなわち、側端部襠３７には溶着部が存在しない構成としたから、図１及び図４に示されるように、見出し片４０を貼付する際の貼付面が平坦となり、十分な接着力を維持して意図しない剥離を防止することができる。
【００２１】
また、綴じ穴離間規制部を構成する溶着部３３は、大径穴１６Ｂの直近内側を上端とする構成であるため、書類をホルダー１０内に収納するときは、前記大径穴１６Ｂより上方に位置する綴じ穴１６Ａ、１６Ｅは一時的に表裏方向に離間させることできるため、開放部の開放幅を大きくして収納し易さに貢献することとなる。
【００２２】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、前記実施形態では、襠形成部３９の折り曲げ線２１，２６が表裏シート１１，１２の各二本とされた場合を図示、説明したが、更に形成数を増加させることでもよい。
【００２４】
また、綴じ穴離間規制部を構成する溶着部３３は、綴じ穴１６に沿う上下方向全域に設けること、或いは、図１に示される位置を上端として下端まで溶着部を延長し、開放部側の一定領域に溶着部を設けない構成等も採用することができる。
【図面の簡単な説明】
【００２５】
【図１】本実施形態に係るホルダーの概略正面図。
【図２】前記ホルダーの展開図。
【図３】図１のＡ−Ａ線に沿う矢視拡大断面図。
【図４】図１のＢ−Ｂ線に沿う矢視拡大断面図。
【図５】前記ホルダーをＤ型綴じリングに綴じ込んだ状態を示す説明図。
【図６】前記ホルダーを略円形の綴じリングに綴じ込んだ状態を示す説明図。
【図７】従来のホルダーを綴じリングに綴じ込んだ状態を示す説明図。
【符号の説明】
【００２６】
１０  ホルダー
１１  表シート
１２  裏シート
１３  開放部
１４  ホルダー本体
１６  綴じ穴
２１，２６  折り曲げ線（襠形成部）
３３  溶着部（綴じ穴離間規制部）
Ｒ  綴じリング
【図１】
2006095756.tif 000003
【図２】
2006095756.tif 000004
【図３】
2006095756.tif 000005
【図４】
2006095756.tif 000006
【図５】
2006095756.tif 000007
【図６】
2006095756.tif 000008
【図７】
2006095756.tif 000009